【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
数平均分子量が約１０００〜１００００であり、架橋機能を有する、式（Ｉ）で表される第１のシロキサンマクロマーと、
【化１】
2014153710.tif 000001
（式（Ｉ）中、Ｒ１、Ｒ２およびＲ３はそれぞれ独立にＣ１−Ｃ４アルキル基であり、Ｒ４はＣ１−Ｃ６アルケニレン基、Ｃ１−Ｃ６アルキレン基またはエーテル官能基を含むＣ１−Ｃ６アルキレン基であり、Ｒ５はＯまたはＮＨであり、Ｒ６はＣ１−Ｃ６アルケニレン基、Ｃ１−Ｃ６アルキレン基またはエーテル官能基を含むＣ１−Ｃ６アルキレン基であり、Ｒ７は水素、Ｃ１−Ｃ６アルキレン基またはエーテル官能基を含むＣ１−Ｃ６アルキレン基であり、Ｒ８はヒドロキシル基、カルボキシ基、エポキシ基または酸無水物官能基を有する反応性官能基の残基であり、ｎは１０〜１００の整数である。）
式（ＩＩ）で表されるシロキサンマクロマーおよび式（ＩＩＩ）で表されるシロキサンマクロマーからなる群より選ばれる第２のシロキサンマクロマーと、
【化２】
2014153710.tif 000002
【化３】
2014153710.tif 000003
（式（ＩＩ）中、ｐは４〜８０の整数であり、式（ＩＩＩ）中、ｑは４〜８０の整数、ｒは３〜４０の整数である。）
Ｎ−ビニルピロリドン（ＮＶＰ）、２−ヒドロキシエチルメタクリレート（ＨＥＭＡ）、Ｎ，Ｎ−ジメチルアクリルアミド（ＤＭＡ）、メタクリル酸、アクリル酸、グリシジルメタクリレート（ＧＭＡ）、メタクリルアミド、ジメチルアミノエチルメタクリレート（ＤＭＡＥＭＡ）、酢酸ビニル、２−ジメチルアミノエチルアクリレート、Ｎ−アクリロイルモルホリンおよびこれらの組み合わせを含む少なくとも１種の親水性モノマーと、
開始剤と、
を含むコンタクトレンズの材料。
【請求項２】
前記第１のシロキサンマクロマーが約５〜３５重量部、前記第２のシロキサンマクロマーが約３０〜５０重量部、前記少なくとも１種の親水性モノマーが約５〜６０重量部、前記開始剤が約０．５〜０．７重量部である請求項１に記載のコンタクトレンズの材料。
【請求項３】
前記第１のシロキサンマクロマーが、式（ＩＶ）で表されるシロキサンマクロマーまたは式（Ｖ）で表されるシロキサンマクロマーを含む請求項１に記載のコンタクトレンズの材料。
【化４】
2014153710.tif 000004
【化５】
2014153710.tif 000005
（式（ＩＶ）中、ｓは１０〜１００の整数であり、式（Ｖ）中、ｔは１０〜１００の整数である。）
【請求項４】
前記少なくとも１種の親水性モノマーが、Ｎ−ビニルピロリドンと２−ヒドロキシエチルメタクリレートの組み合わせ、２−ヒドロキシエチルメタクリレートとＮ，Ｎ−ジメチルアクリルアミドの組み合わせ、Ｎ−ビニルピロリドンとＮ，Ｎ−ジメチルアクリルアミドの組み合わせ、またはＮ−ビニルピロリドン、２−ヒドロキシエチルメタクリレートおよびＮ，Ｎ−ジメチルアクリルアミドの組み合わせである請求項１に記載のコンタクトレンズの材料。
【請求項５】
前記開始剤が熱開始剤であり、前記熱開始剤が２，２’−アゾビス（２，４−ジメチルバレロニトリル）（ＡＤＶＮ）、２，２’−アゾビスイソブチロニトリル（ＡＩＢＮ）、２，２’−アゾビス（２−メチルプロピオニトリル）または２，２’−アゾビス（２−メチルブチロニトリル）を含む請求項１に記載のコンタクトレンズの材料。
【請求項６】
前記開始剤が光開始剤であり、前記光開始剤が２−ヒドロキシ−２−メチルプロピオフェノン（２−Ｈｙｄｒｏｘｙ−２−ｍｅｔｈｙｌｐｒｏｐｉｏｐｈｅｎｏｎｅ）、１−ヒドロキシシクロヘキシルフェニルケトン（１−Ｈｙｄｒｏｘｙｃｙｃｌｏｈｅｘｙｌ  ｐｈｅｎｙｌ  ｋｅｔｏｎｅ）、２，２−ジメトキシ−２−フェニルアセトフェノン（２，２−Ｄｉｍｅｔｈｏｘｙ−２−ｐｈｅｎｙｌａｃｅｔｏｐｈｅｎｏｎｅ）、ベンゾインメチルエーテル（Ｂｅｎｚｏｉｎ  ｍｅｔｈｙｌ  ｅｔｈｅｒ）、２，２’−アゾビスイソブチロニトリル‘（２，２’−ａｚｏｂｉｓ−ｉｓｏｂｕｔｙｒｏｎｉｔｒｉｌｅ）または２，２−ジエトキシアセトフェノン（２，２−Ｄｉｅｔｈｏｘｙａｃｅｔｏｐｈｅｎｏｎｅ）を含む請求項１に記載のコンタクトレンズの材料。
【請求項７】
前記少なくとも１種の親水性モノマーが前記２−ヒドロキシエチルメタクリレートと前記Ｎ，Ｎ−ジメチルアクリルアミドの組み合わせである請求項１に記載のコンタクトレンズの材料。
【請求項８】
前記第１のシロキサンマクロマーが約５〜２５重量部、前記第２のシロキサンマクロマーが約３０〜４０重量部、前記２−ヒドロキシエチルメタクリレートが約１０〜３０重量部、前記Ｎ，Ｎ−ジメチルアクリルアミドが約２５〜５０重量部、前記開始剤が約０．５〜０．７重量部である請求項７に記載のコンタクトレンズの材料。
【請求項９】
前記少なくとも１種の親水性モノマーが前記Ｎ−ビニルピロリドン、前記２−ヒドロキシエチルメタクリレートおよび前記Ｎ，Ｎ−ジメチルアクリルアミドの組み合わせである請求項１に記載のコンタクトレンズの材料。
【請求項１０】
前記第１のシロキサンマクロマーが約５〜１０重量部、前記第２のシロキサンマクロマーが約３０〜５０重量部、前記Ｎ−ビニルピロリドンが約２０〜５０重量部、前記２−ヒドロキシエチルメタクリレートが約５〜１５重量部、前記Ｎ，Ｎ−ジメチルアクリルアミドが約４〜１５重量部、前記開始剤が０．５〜０．７重量部である請求項９に記載のコンタクトレンズの材料。
【請求項１１】
追加の架橋剤をさらに含む請求項１に記載のコンタクトレンズの材料。
【請求項１２】
前記第１のシロキサンマクロマーが約５〜３５重量部、前記第２のシロキサンマクロマーが約３０〜５０重量部、前記少なくとも１種の親水性モノマーが約５〜５０重量部、前記開始剤が約０．５〜０．７重量部、前記追加の架橋剤が約０．１〜５重量部である請求項１１に記載のコンタクトレンズの材料。
【請求項１３】
前記追加の架橋剤が、エチレングリコールジメタクリレート（ＥＧＤＭＡ）、トリメチロールプロパントリアクリレート（ＴＭＰＴＡ）、テトラエチレングリコールジメタクリレート（ＴＥＧＤＭＡ）、トリエチレングリコールジメタクリレート（ＴｒＥＧＤＭＡ）、ポリエチレングリコールジメタクリレート、トリメチロールプロパントリメタクリレート、ビニルメタクリレート、エチレンジアミンジメチルアクリルアミド、グリセロールジメタクリレート、イソシアヌル酸トリアリルまたはシアヌル酸トリアリル（ｔｒｉａｌｌｙｌ  ｃｙａｎｕｒａｔｅ）を含む請求項１１に記載のコンタクトレンズの材料。
【請求項１４】
前記少なくとも１種の親水性モノマーが前記Ｎ−ビニルピロリドンと前記Ｎ，Ｎ−ジメチルアクリルアミドの組み合わせであり、かつ前記第１のシロキサンマクロマーが約２５〜３５重量部、前記第２のシロキサンマクロマーが約２５〜３５重量部、前記Ｎ−ビニルピロリドンが約２５〜３５重量部、前記Ｎ，Ｎ−ジメチルアクリルアミドが約５〜１０重量部、前記開始剤が約０．５〜０．７重量部、前記追加の架橋剤が約０．１〜０．５重量部である請求項１１に記載のコンタクトレンズの材料。
【請求項１５】
前記少なくとも１種の親水性モノマーが前記Ｎ−ビニルピロリドン、２−ヒドロキシエチルメタクリレートおよびＮ，Ｎ−ジメチルアクリルアミドの組み合わせであり、前記第１のシロキサンマクロマーが約５〜１５重量部、前記第２のシロキサンマクロマーが約４０〜５０重量部、前記Ｎ−ビニルピロリドンが約０．１〜１重量部、前記２−ヒドロキシエチルメタクリレートが約５〜１５重量部、前記Ｎ，Ｎ−ジメチルアクリルアミドが約２５〜３５重量部、前記開始剤が約０．５〜０．７重量部、前記追加の架橋剤が約０．１〜５重量部である請求項１１に記載のコンタクトレンズの材料。
【請求項１６】
色素および／または抗ＵＶ剤をさらに含む請求項１に記載のコンタクトレンズの材料。